(57)【特許請求の範囲】
【請求項１】
所定のデータに基づいて記録媒体に所定のパターンの静電潜像を形成する静電潜像形成手段と、記録材を含む記録液体を受容可能な液体受容性粒子を用いて前記静電潜像を顕像化し前記記録媒体上に前記所定のパターンの液体受容性粒子層を形成する顕像化手段と、を有する粒子層形成手段と、
前記所定のデータに基づいて中間転写体に前記所定のパターンの静電潜像記録液体を付与する付与手段と、前記中間転写体に付与された前記所定のパターンの前記記録液体を前記記録媒体に形成された前記所定のパターンの前記液体受容性粒子層に転写する転写手段と、を有し、前記記録媒体上の前記液体受容性粒子層に前記記録液体を付与し、前記液体受容性粒子層に前記記録材をトラップさせ、該液体受容性粒子層に前記記録材の前記所定のパターンを形成するパターン形成手段と、
を備え、
前記記録媒体に形成された前記所定のパターンの前記液体受容性粒子層に、前記中間転写体の前記所定のパターンの前記記録液体が重なるように、前記粒子層形成手段の前記静電潜像形成手段が前記記録媒体に前記所定のパターンの前記静電潜像形成を形成するタイミングと、前記パターン形成手段の前記付与手段が前記中間転写体に前記所定のパターンの前記記録液体を付与するタイミングと、が、制御されていることを特徴とするパターン形成装置。
【請求項２】
前記静電潜像形成手段は、放電によるイオン流を制御して前記記録媒体上に照射することによって前記所定のパターンの前記静電潜像を形成するイオン流制御静電記録ヘッドであることを特徴とする請求項１に記載のパターン形成装置。
【請求項３】
前記粒子層形成手段と前記パターン形成手段との間に、
前記液体受容性粒子層を、前記記録液体を受容可能な程度に前記記録媒体に予備定着させる予備定着手段を備えることを特徴とする請求項１又は請求項２に記載のパターン形成装置。
【請求項４】
前記液体受容性粒子は、
前記記録液体の溶媒又は分散媒を吸収して定着性を示す樹脂微粒子と、
細孔を有し該細孔に前記溶媒又は分散媒を受容可能である無機微粒子と、
を含み、
前記樹脂微粒子と前記無機微粒子との間に空隙をもつ複合粒子を用いることを特徴とする請求項１〜請求項３のいずれか１項に記載のパターン形成装置。
【請求項５】
前記パターン形成手段の下流側に、
前記液体受容性粒子層を、加圧及び加熱のいずれか一方又は両方により、前記液体受容性粒子層を前記記録媒体に定着させる定着手段を備えることを特徴とする請求項１〜請求項４のいずれか１項に記載のパターン形成装置。
【請求項６】
前記定着手段では、前記記録液体の溶媒又は分散媒を保持したまま前記液体受容性粒子層を前記記録媒体に定着することを特徴とする請求項５に記載のパターン形成装置。
【請求項７】
所定のデータに基づいて記録媒体に所定のパターンの静電潜像を形成する静電潜像形成工程と、記録材を含む記録液体を受容可能な液体受容性粒子を用いて前記静電潜像を顕像化し前記記録媒体上に前記所定のパターンの液体受容性粒子層を形成する顕像化工程と、を有する粒子層形成工程と、
前記所定のデータに基づいて中間転写体に前記所定のパターンの静電潜像記録液体を付与する付与工程と、前記中間転写体に付与された前記所定のパターンの前記記録液体を前記記録媒体に形成された前記所定のパターンの前記液体受容性粒子層に転写する転写工程と、を有し、前記記録媒体上の前記液体受容性粒子層に前記記録液体を付与し、前記液体受容性粒子層に前記記録材をトラップさせ、該液体受容性粒子層に前記記録材の前記所定のパターンを形成するパターン形成工程と、
を含み、
前記記録媒体に形成された前記所定のパターンの前記液体受容性粒子層に、前記中間転写体の前記所定のパターンの前記記録液体が重なるように、
前記粒子層形成手段の前記静電潜像形成手段が前記記録媒体に前記所定のパターンの前記静電潜像形成を形成するタイミングと、前記パターン形成手段の前記付与手段が前記中間転写体に前記所定のパターンの前記記録液体を付与するタイミングと、が、制御されていることを特徴とするパターン形成方法。
【発明の詳細な説明】
【技術分野】
【０００１】
本発明は、パターン形成方法、及びパターン形成装置に関する。
【背景技術】
【０００２】
従来、インクジェット記録方式の画像形成装置において、記録媒体の違い（例えばインクの浸透の仕方の違い）により印字状態が変化すると言った問題や、インクが浸透しない記録媒体を用いた場合、記録媒体を排出する際、又は両面印字の反転動作する際に、インク像の未乾燥部分の像が乱されると言う問題があった。
【０００３】
さて、インクジェットによる画像形成は、画像信号に応じて、直接インクを記録媒体上に噴射して、文字や画像等を形成する。近年画像形成速度の高速化のため、搬送する記録媒体の全幅にわたってノズルを配置したＦＷＡ(Full Width Array)方式の記録装置が必要とされている。
【０００４】
このようなＦＷＡ方式の記録装置は、従来のスキャン型インクジェット記録装置に比べて、文字や画像等が形成された記録媒体が装置から排出される時間が短くなり、記録媒体内部への浸透乾燥によるインク乾燥に供される時間が短くなる。よって、印字済み表面のインクは十分に定着しておらず、印字直後に表面をローラー等で押圧したり、擦ったりした場合、画像の劣化が発生してしまう恐れがある。特に両面記録時においては、上記画像劣化を起こさないためには、ある程度の乾燥時間を必要とするため、生産性が低下してしまう。
【０００５】
このような問題に対し、記録媒体上、特に非浸透紙上でのインクに含まれる溶媒を蒸発促進させるために、装置自体にヒーター等の乾燥手段を設けることにより対応した場合、乾燥には大きなエネルギーが必要となり、また装置自体も大型化してしまう欠点がある。
【０００６】
また、顔料を用いた顔料インクにおいて、顔料の分散性を上げ、かつ定着強度を増加させるために、インク中に水溶性高分子を添加し、特に、非浸透紙に顔料を定着させ、耐擦過性等の画像堅牢性を持たせるためには、より多くの水溶性高分子の添加が必要となる。しかし、水溶性高分子の添加量を増加させた場合、ノズルでの増粘／固化による噴射不安定、若しくは噴射不能に陥る場合があり、信頼性において大きな問題となる。
【０００７】
さて、従来のインクジェット記録装置では上記問題を回避するために、記録媒体上に無機顔料のような多孔質でインクを吸収する材料による塗工層を形成したインクジェット専用紙のような専用の記録媒体を使用していた。このような専用の記録媒体を使用するとインクの浸透が速く、記録媒体排出の際、又は両面印字の反転動作の際に、インク像の未乾燥部分の像が乱される問題を回避できる。また、滲み等が無く、濃度の高い高品位な画像を高速で得ることができる。
【０００８】
しかし、このような限定された専用の記録媒体を使用しなければ、高品位／高速な印字ができないので、使用可能な記録媒体が制限される。
【０００９】
そこで、インクを保持するための吸水性樹脂粒子を記録媒体上に供給し、この吸水性樹脂粒子上にインクジェット記録ヘッドを用いてインクを吐出させ、ついで吸水性樹脂粒子を記録媒体に定着させて画像を形成させる方法が提案されている。（例えば、特許文献１）。
【００１０】
しかし、このような方法は、吸水性樹脂粒子がインク溶媒を吸収後に膨潤し、画像の凹凸や定着時のつぶれ(広がり)等の画質劣化を発生させてしまう。さらに、吸水性樹脂粒子を記録媒体上全域に供給するため、画像形成領域が記録媒体の一部の領域である場合は、無駄になる吸水性樹脂粒子が非常に多くなる。
【００１１】
また、コーティング液を吐出するコーティングヘッドと記録用インクを吐出するインクジェット記録ヘッドを備え、記録用インクによる記録がなされる前に、記録媒体上にコーティング材料を吐出して記録媒体上にコーティング層を形成する方法が提案されている。（例えば、特許文献２参照）。
【００１２】
しかし、このような方法は、にじみ等が無く、濃度の高い高品位な画像を得ることは可能であるが、コーティング液自体に含有される溶媒とインクに含有される溶媒が記録媒体上に存在することになり、乾燥が遅くなると共に、特に浸透性の記録媒体への溶媒の浸透による記録媒体の変形も発生してしまう。
【００１３】
また、記録媒体上に粒子層領域を形成する手段として、電子写真の感光体を利用する方法が提案されている。（通常の電子写真方式で用いられる帯電手段、露光手段、現像手段、転写手段を備えている)。（例えば、特許文献３参照）。
【００１４】
しかし、このような方法は、粒子供給手段に電子写真方式の装置を使うため、システムが複雑になる。また、定着用樹脂として非水溶性の熱可塑性樹脂を使用し、無機多孔質体を内添や外添したものを使用している。このためインク吸液能力が充分ではなく、記録媒体にインク溶媒や色材（顔料や染料）が移行することがある。また、インク溶媒を含んだ樹脂を溶融して定着させるため、乾燥した樹脂を溶融させる以上にエネルギーを必要とする。
【特許文献１】特開平０５−０９６７２０号公報
【特許文献２】特開平０６−２５５０９７号公報
【特許文献３】特開２００３−０５７９６７号公報
【発明の開示】
【発明が解決しようとする課題】
【００１５】
本発明は、上記問題を解決すべく成されたもので、記録媒体によらず、特に非浸透紙に対して液滴未乾燥による滲み像乱れ等が無く、しかも高速記録が可能なパターン形成方法及びパターン形成装置の提供を目的とする。
【課題を解決するための手段】
【００１６】
上記目的を達成するために、請求項１に記載のパターン形成装置は、所定のデータに基づいて記録媒体に所定のパターンの静電潜像を形成する静電潜像形成手段と、記録材を含む記録液体を受容可能な液体受容性粒子を用いて前記静電潜像を顕像化し前記記録媒体上に前記所定のパターンの液体受容性粒子層を形成する顕像化手段と、を有する粒子層形成手段と、前記所定のデータに基づいて中間転写体に前記所定のパターンの静電潜像記録液体を付与する付与手段と、前記中間転写体に付与された前記所定のパターンの前記記録液体を前記記録媒体に形成された前記所定のパターンの前記液体受容性粒子層に転写する転写手段と、を有し、前記記録媒体上の前記液体受容性粒子層に前記記録液体を付与し、前記液体受容性粒子層に前記記録材をトラップさせ、該液体受容性粒子層に前記記録材の前記所定のパターンを形成するパターン形成手段と、を備え、前記記録媒体に形成された前記所定のパターンの前記液体受容性粒子層に、前記中間転写体の前記所定のパターンの前記記録液体が重なるように、前記粒子層形成手段の前記静電潜像形成手段が前記記録媒体に前記所定のパターンの前記静電潜像形成を形成するタイミングと、前記パターン形成手段の前記付与手段が前記中間転写体に前記所定のパターンの前記記録液体を付与するタイミングと、が制御されていることを特徴としている。
【００１７】
請求項１に記載のパターン装置では、記録材を含む記録液体を受容可能な液体受容性粒子で記録媒体上に形成された液体受容性粒子層に記録液体を付与し、記録材をトラップさせ、液体受容性粒子層に記録材のパターンを形成している。
【００１８】
よって、記録材は液体受容層にトラップされるので、滲みなどパターンの劣化が少ない。更に、記録媒体の違いによらず、特に非浸透紙に対して液滴未乾燥による滲みや像乱れ等が無く、しかも高速記録が可能なパターン（画像）を形成することができる。
【００２０】
また、粒子層形成手段は、前記所定のデータに応じて静電潜像形成手段が記録媒体の所定の領域に選択的に静電潜像を形成し、この静電潜像を顕像化手段が顕像化して液体受容性粒子層を形成している。
【００２１】
したがって、必要とする記録媒体の所定の領域に選択的に液体受容性粒子層を形成できる。よって、無駄にする液体受容性粒子が格段に減少する。
また、パターン形成手段でパターンが形成される領域に、静電潜像形成手段液体受容性粒子層を形成している。つまり、無駄の領域に液体受容性粒子層が形成されない。
また、付与手段が中間転写体に付与した記録液体を、記録媒体に形成された液体受容性粒子層に転写手段が転写してパターンを形成している。このような方法は、パターン形成時の液体受容性粒子層に乱れが生じにくいので、よりパターン形成の精度が高くなる（高画質となる）。
【００２２】
請求項２に記載のパターン形成装置は、請求項１に記載の構成において、前記静電潜像形成手段は、放電によるイオン流を制御して前記記録媒体上に照射することによって前記所定のパターンの前記静電潜像を形成するイオン流制御静電記録ヘッドであることを特徴としている。
【００２３】
請求項２に記載のパターン形成装置は、イオン流制御静電記録ヘッドが放電によるイオン流を制御して記録媒体上に照射することによって、容易に、かつ正確に所定のパターンの静電潜像を形成している。つまり、容易に、かつ正確に所定のパターンの液体受容性粒子層を形成できる。
【００２８】
請求項３に記載のパターン形成装置は、請求項１又は請求項２に記載の構成において、前記粒子層形成手段と前記パターン形成手段との間に、前記液体受容性粒子層を、前記記録液体を受容可能な程度に前記記録媒体に定着させる予備定着手段を備えることを特徴としている。
【００２９】
請求項３に記載のパターン形成装置では、粒子層形成手段とパターン形成手段との間に備える予備定着手段が、液体受容性粒子層を記録液体を受容可能な程度に記録媒体に予備定着させている。
【００３０】
したがって、記録媒体上に形成されたインク受容性粒子層が、パターン形成工程で乱れることがない。なお、予備定着は、記録液体を受容可能な程度に行っているので、パターンの形成には支障はない。
【００３３】
請求項４に記載のパターン形成装置は、請求項１〜請求項３のいずれか１項に記載の構成において、前記液体受容性粒子は、前記記録液体の溶媒又は分散媒を吸収して定着性を示す樹脂微粒子と、細孔を有し該細孔に前記溶媒又は分散媒を受容可能である無機微粒子と、を含み、前記樹脂微粒子と前記無機微粒子との間に空隙をもつ複合粒子を用いることを特徴としている。
【００３４】
請求項４に記載のパターン形成装置では、記録液体は液体受容性粒子に形成された空隙により速やかに吸収され、記録液体の溶媒、又は分散媒が無機質微粒子の細孔に吸収され、順次、樹脂微粒子に吸収されると共に、記録材が液体受容性粒子を構成する１次粒子（樹脂微粒子と無機微粒子）の表面にトラップされる。
【００３５】
記録材がトラップされた後の溶媒、又は分散媒は液体受容性粒子層の深さ方向に浸透し、無機質微粒粒子の空隙及び樹脂微粒子に吸収される。
【００３６】
このように、記録材が液体受容粒子層の表層近傍にトラップされるので、より高画質(高濃度、高発色性)なパターンを形成できる。
【００３７】
請求項５に記載のパターン形成手段は、請求項１〜請求項４のいずれか１項に記載の構成において、前記パターン形成手段の下流側に、前記液体受容性粒子層を、加圧及び加熱のいずれか一方又は両方により、前記液体受容性粒子層を前記記録媒体に定着させる定着手段を備えることを特徴としている。
【００３８】
請求項５に記載のパターン形成装置では、パターン形成手段の下流側に定着手段を配置し、液体受容性粒子層を、加圧及び加熱のいずれか一方又は両方により、液体受容性粒子層を記録媒体に定着させている。
【００３９】
なお、液体受容性粒子が記録液体を受容することで、記録液体の溶媒又は分散媒が粒子の可塑剤として作用するため、軟化して定着性が向上する。
【００４０】
また、このため、低い温度での加熱、又は、加圧のみでも定着可能である。しかし、好ましくは加熱と加圧とを同時に行う方式が良い。
【００４１】
請求項６に記載のパターン形成装置は、請求項５に記載の構成において、前記定着手段では、前記記録液体の溶媒又は分散媒を保持したまま前記液体受容性粒子層を前記記録媒体に定着することを特徴としている。
【００４２】
請求項６に記載のパターン形成装置では、記録液体の溶媒又は分散媒は液体受容性粒子に保持されており、粒子間の空隙等には残っていないので、定着手段での加熱は、溶媒又は分散媒を加熱する等、定着目的以外に浪費されることがない。よって、定着手段は効率よく加熱定着することが可能となる。
【００４３】
また、液体受容性粒子層に受容／保持された記録液体の溶媒又は分散溶媒は、定着後も液体受容性粒子層内に保持され、通常の水性インクジェット記録におけるインク溶媒の乾燥と同じく、自然乾燥にて除去される。よって、記録媒体の液体浸透性の違いや、非浸透紙に対しても同じように、高速で高画質な画像を形成することが可能となる。
【００４４】
また、インク溶媒は液体受容性粒子層に保持され、記録媒体内へ移行することが無い為、インク溶媒、特に水分による記録媒体のカールやカックルの様な変形が起こることを防ぐ事が可能となる。
【００４５】
請求項７に記載のパターン形成方法は、所定のデータに基づいて記録媒体に所定のパターンの静電潜像を形成する静電潜像形成工程と、記録材を含む記録液体を受容可能な液体受容性粒子を用いて前記静電潜像を顕像化し前記記録媒体上に前記所定のパターンの液体受容性粒子層を形成する顕像化工程と、を有する粒子層形成工程と、前記所定のデータに基づいて中間転写体に前記所定のパターンの静電潜像記録液体を付与する付与工程と、前記中間転写体に付与された前記所定のパターンの前記記録液体を前記記録媒体に形成された前記所定のパターンの前記液体受容性粒子層に転写する転写工程と、を有し、前記記録媒体上の前記液体受容性粒子層に前記記録液体を付与し、前記液体受容性粒子層に前記記録材をトラップさせ、該液体受容性粒子層に前記記録材の前記所定のパターンを形成するパターン形成工程と、を含み、前記記録媒体に形成された前記所定のパターンの前記液体受容性粒子層に、前記中間転写体の前記所定のパターンの前記記録液体が重なるように、前記粒子層形成手段の前記静電潜像形成手段が前記記録媒体に前記所定のパターンの前記静電潜像形成を形成するタイミングと、前記パターン形成手段の前記付与手段が前記中間転写体に前記所定のパターンの前記記録液体を付与するタイミングと、が、制御されていることを特徴としている。
【００４６】
請求項７に記載のパターン形成方法では、記録媒体上に記録材を含む記録液体を受容可能な液体受容性粒子で形成された液体受容性粒子層に記録液体を付与し、記録材をトラップさせ、液体受容性粒子層に記録材のパターンを形成している。
【００４７】
このように、記録材は液体受容層にトラップされるので、滲みなどパターンの劣化が少ない。更に、記録媒体の違いによらず、特に非浸透紙に対して液滴未乾燥によるにじみや像乱れ等が無く、しかも高速記録が可能なパターン（画像）を形成することができる。
【発明の効果】
【００４８】
以上説明したように本発明によれば、記録媒体によらず、特に非浸透紙に対して液滴未乾燥による滲み像乱れ等が無く、しかも高速記録が可能となる。
【発明を実施するための最良の形態】
【００４９】
本発明の第一実施形態に係る画像形成装置について説明する。
【００５０】
最初に装置全体の概要について説明する。
【００５１】
図１に示すように、第一実施形態の画像形成装置１０は、無端ベルト状の搬送ベルト１２を備えている。搬送ベルト１２は回転移動し、収容カセット（図示略）などから送られてきた記録媒体８を搬送する。
【００５２】
まず、搬送ベルト１２によって搬送されている記録媒体８に、イオン流制御静電記録ヘッド１００（以降、「静電記録ヘッド１００」と略して記す）が、放電によるイオン流を制御して記録媒体８上に照射することによって静電潜像を形成する。（図９（Ａ）参照）。
【００５３】
記録媒体８に形成された静電潜像をインク受容性粒子供給装置１８が顕像化し、インク受容性粒子１６からなるインク受容性粒子層１６Ａを形成する。（図９（Ｂ）参照）。
【００５４】
記録媒体８に形成されたインク受容性粒子層１６Ａを、予備定着装置１５０が予備加熱定着する。
【００５５】
予備加熱定着されたインク受容性粒子層１６Ａに、ブラック（Ｋ）、シアン（Ｃ）、マゼンタ（Ｍ）、イエロー（Ｙ）の各色毎のインクジェット記録ヘッド２０Ｋ、２０Ｃ、２０Ｍ、２０Ｙから、画像データに基づき、各色のインク滴２０Ａ（図２参照）が吐出されインク画像が形成される。（図９（Ｃ）参照）。なお、以降、各色を区別する必要があるときは、符号の後にＹ，Ｍ，Ｃ，Ｋを付すが、特に、区別する必要がない場合は、Ｙ，Ｍ，Ｃ，Ｋを省略する。なお、本実施形態のインクは、顔料インクである。
【００５６】
インク滴２０Ａの吐出によってインク画像が形成されたインク受容性粒子層１６Ａは、定着装置２２が圧力及び熱を加えることにより記録媒体８上に定着する。
【００５７】
なお、静電記録ヘッド１００及びインクジェット記録ヘッド２０は、記録媒体８の幅以上あるライン型記録ヘッド、所謂ＦＷＡ方式の記録ヘッドである。
【００５８】
次に、各構成要素と画像形成のプロセスについての詳細を説明する。
【００５９】
図１、図２（Ａ）に示すように、無端ベルト状の搬送ベルト１２で、記録媒体８を搬送している。本実施形態では、搬送ベルト１２に記録媒体８を吸着した状態で搬送している。
【００６０】
ここで、搬送ベルト１２に記録媒体８を吸着させる方法の一例として、バキューム吸引して吸着させる吸引機構について説明する。
【００６１】
図１０（Ａ），（Ｂ）に示すように、搬送ベルト１２には吸引用の多数の孔１２Ａが形成されている。ベルト状の搬送ベルト１２の内側には、ファン３０２を備える吸引ダクト３００が配置されている。そして、図１０（Ｂ）の矢印で空気流を示すように、搬送ベルト１２の多数の孔１２Ａから空気を吸引し、圧力差によって、記録媒体８を搬送ベルト１２の外周面側に吸着させている。
【００６２】
なお、記録媒体８を搬送ベルト１２に吸着させる方法は、上記のようなバキューム吸引以外の方式であっても良い。例えば、粘着力で吸着させる方式であっても良い。或いは、搬送ベルト１２に記録媒体８を静電吸着させる方式であっても良い。
【００６３】
さて、図１、図２（Ａ）に示すように、搬送方向の上流側には、搬送ベルト１２に搬送されている記録媒体８に静電潜像を形成する静電記録ヘッド１００が、記録媒体８の上方に間隔を持って配置されている。
【００６４】
静電記録ヘッド１００は、平面矩形状の絶縁基板１０２の表面に、複数の駆動電極１０４が互いに平行に設けられていると共に、その裏面にこれらの駆動電極１０４と交差するようにして複数の制御電極１０６が設けられている。なお、駆動電極１０４と制御電極１０６とでマトリックス（格子）が形成されている。また、制御電極１０６には、駆動電極１０４と交差する位置に円形の開口部１０６Ａが形成されている。そして、制御電極１０６の下面には、絶縁基板１０１を介してスクリーン電極１０８が設けられている。これらの絶縁基板１０１及びスクリーン電極１０８には、制御電極１０６の開口部１０６Ａと対応した位置に、空間１１１とイオン導出用開口部１１０が形成されている。
【００６５】
図２（Ａ）に示すように、交流電源１１２によって駆動電極１０４とスクリーン電極１０８との間に高周波高電圧が印加されるようになっている。一方、制御電極１０６にはイオン制御電源１１４により画像情報に応じたパルス電圧印加されるようになっている。更に、スクリーン電極１０８には直流電源１１６により直流電圧が、印加されるようになっている。
【００６６】
そして、このように絶縁された駆動電極１０４と制御電極１０６との間に交番電界を与えることにより、空間１１１において沿面コロナ放電を誘発させ、この沿面コロナ放電によって発生したイオンを、制御電極１０６とスクリーン電極１０８との間に形成される電界によって加速もしくは吸収して、イオン導出用開口部１１０からのイオン流の放出を制御し、画像信号（インク画像）に応じたイオン（本実施形態ではプラスイオン）により、記録媒体８の表面に静電潜像（図９（Ａ）参照）の形成を行うようになっている。
【００６７】
静電潜像の電位は、次工程で、インク受容性粒子供給装置１８の粒子供給ロール１８Ａと記録媒体８に形成された静電潜像とで形成する電界による静電力により、インク受容性粒子１６が記録媒体８に供給／吸着可能な電位であれば良い。
【００６８】
なお、このような静電記録ヘッド１００は、静電潜像を形成する領域を選択できる。よって、記録媒体８の表面に形成する静電潜像は、インク画像が形成される領域としている。例えば、形成画像が文字「あ」の場合は、図９（Ａ）に概念的に示すようになる。
【００６９】
表面に静電潜像が形成されている記録媒体８は、インク受容性粒子供給装置１８に送られ、静電潜像を顕像化し、静電潜像に対応したインク受容性粒子層１６Ａを形成する。（図９（Ｂ）参照）。
【００７０】
なお、静電潜像を顕像化してインク受容性粒子層１６Ａを形成する方法は、一般的な電子写真方式のトナーで感光体を現像（顕像化）する方法である１成分現像方式や２成分現像方式を応用している。本実施形態では、１成分現像方式を応用している。
【００７１】
インク受容性粒子供給装置１８は、インク受容性粒子１６が収容される容器の搬送ベルト１２（記録媒体８）と対向するように粒子供給ロール１８Ａが設けられている。また、粒子供給ロール１８Ａを押圧するように帯電ブレード１８Ｂが設けられている。この帯電ブレード１８Ｂは、粒子供給ロール１８Ａの表面に付着するインク受容性粒子１６の層厚を規制する機能と、静電潜像と逆極性であるマイナス極性にインク受容性粒子１６を帯電させる機能と、を併せもつ。
【００７２】
粒子供給ロール１８Ａはアルミの中実ロールである。また、帯電ブレード１８Ｂは圧力を押圧するために金属板（ＳＵＳ）にウレタンゴムを貼り付けたものである。帯電ブレードはドクター方式で粒子供給ロール１８Ａと接する。
【００７３】
帯電されたインク受容性粒子１６は粒子供給ロール１８Ａの表面に略１層の粒子層を形成し、記録媒体８と対向する部位に搬送され近接すると、粒子供給ロール１８Ａと記録媒体８の静電潜像の電位差により形成された電界により、静電力により記録媒体８の表面に移動することで、静電潜像に対応したインク受容性粒子層１６Ａが形成される。なお、この電位差は、粒子供給ロール１８Ａにバイアス電圧を印加することで得ることができる。また、インク受容性粒子１６の帯電量としては５μｃ／ｇ〜５０μｃ／ｇの範囲が望ましい。
【００７４】
さて、記録媒体８上に形成されるインク受容性粒子層１６Ａの層厚は、自在にコントロールすることができる。よって、次にその方法を説明する。
【００７５】
まず、記録媒体８に略１層のインク受容性粒子層１６Ａを形成するように記録媒体８の移動速度（搬送ベルト１２の移動速度）と粒子供給ロール１８Ａの回転速度を相対的に設定する(周速比)。この周速比は、記録媒体８の静電潜像の電位、粒子の帯電量、粒子供給ロール１８Ａと記録媒体８の位置関係等、種々のパラメータに依存する。
【００７６】
この略１層を形成する周速比を基準に、粒子供給ロール１８Ａの回転速度を相対的に速くすることにより、記録媒体８上に供給される粒子数を増加させることができる。これによって記録媒体８上に形成されるインク受容性粒子層１６Ａの層厚を自在にコントロールすることが可能となる。
【００７７】
例えば、画像濃度が低い(インク滴２０Ａの打ち込み量が少ない)場合には、層厚を必要最小限の厚さとし、また、画像濃度が高い(インク滴２０Ａの打ち込み量が多い)場合には、インク溶媒を保持可能である充分な層厚となるように制御することが望ましい。
【００７８】
以上のようにして画像信号に基づいて、インク画像の領域にのみに記録媒体上にインク受容性粒子層１６Ａが形成される（非画像部領域には殆どインク受容性粒子層１６Ａが形成されない）。したがって、インク受容性粒子１６の使用量を抑えることができるので、コスト的に有利である。更に、インク受容性粒子供給装置１８のインク受容性粒子１６の収容容器を小さくすることができ、装置の小型化が可能となる。
【００７９】
なお、上記では、粒子供給ロール１８Ａの回転速度を変化させることで、インク受容性粒子層１６Ａの層厚を変化させたが、その他の方法であっても良い。
【００８０】
例えば、帯電ブレード１８Ｂの、粒子供給ロール１８Ａへの圧力を変化させ、粒子供給ロール１８Ａの表面の粒子層厚を変化させることで、記録媒体８の表面に形成されるインク受容性粒子層１６Ａの層厚を変化させても良い。
【００８１】
さて、ここで、インク受容性粒子１６について説明する。なお、インク受容性粒子１６の、更に詳しい説明は後述する。
【００８２】
図２（Ｂ）のように、インク受容性粒子１６は、定着性粒子である樹脂粒子１６Ｅ及び多孔質粒子１６Ｆとが空隙１６Ｇをもって凝集・造粒された、望ましくは直径２〜３μｍの２次粒子である。
【００８３】
このような構成をしているので、次々工程でインク滴２０Ａは、空隙１６Ｇにより速やかに吸収され、順次溶媒が多孔質粒子１６Ｆの空隙及び樹脂粒子１６Ｅに吸収されると共に、インク中の顔料（色材）がインク受容性粒子１６を形成する１次粒子（樹脂粒子１６Ｅと多孔質粒子１６Ｆ）表面にトラップされる。
【００８４】
また、インク受容性粒子１６に顔料を確実にトラップさせるために、インクとインク受容性粒子１６とを反応させることにより、顔料を速やかに不溶化（凝集）させる方法を採用すればより好ましい。
【００８５】
顔料がトラップされた後のインク溶媒はインク受容性粒子層１６Ａの深さ方向に浸透すると共に、多孔質粒子１６Ｆの空隙及び樹脂粒子１６Ｅに吸収される。また、インク溶媒を吸収した樹脂粒子１６Ｅは軟化することによって定着工程での定着に寄与する。また、インク同士が混じり合って滲む現象を抑えることもできる。
【００８６】
さて、このようなインク受容性粒子１６は、以下のような構成が考えられる。
（インク受容性粒子Ａ−１）
・スチレン／ｎブチルメタクリレート／アクリル酸共重合体粒子（体積平均粒径０．２μｍ、酸価＝２４０、水酸化ナトリウムにより部分中和、Ｔｇ≒６０℃）：  １００部
・非晶質シリカ粒子（Ａｅｒｏｓｉｌ  ＯＸ５０（体積平均粒径≒４０ｎｍ）とＡｅｒｏｓｉｌ  ＴＴ６００（体積平均粒径≒４０ｎｍ）の１：１混合物）：  ３０部
上記粒子を混合し、さらに微量の殺菌剤水溶液（プロクセルＧＸＬ（Ｓ）  アーチケミカルズジャパン製）を添加し、攪拌混合（サンプルミルにて約３０秒間）した後、メカノフュージョンシステムにて断続的に処理し複合粒子化した。断続駆動条件毎に粒径を測定し、約５μｍとなった段階で取り出した。このようにして造粒を行い、球換算平均直径５μｍの凝集複合粒子（ベース粒子ａ１）を作製した。
【００８７】
この凝集複合粒子（ベース粒子ａ１）に対して、表面疎水化処理（表面疎水化処理したシリカ微粒子Ａｅｒｏｓｉｌ  Ｒ９７２（日本アエロジル社製、体積平均粒径≒１６ｎｍ）を１．０質量％と未処理の親水性シリカＡｅｒｏｓｉｌ  １３０（日本アエロジル社製、体積平均粒径≒１６ｎｍ）を０．５質量％外部添加して、粒子Ａ−１を作製した。上記のように作製した粒子Ａ−１をインク受容性粒子１６として用いる。
【００８８】
さて、ここから画像形成のプロセスについての説明に戻る。
【００８９】
図２（Ａ）に示すように、つぎに、記録媒体８に形成されたインク受容性粒子層１６Ａを予備定着装置１５０によって、予備定着する。
【００９０】
さて、記録媒体８上に形成されたインク受容性粒子層１６Ａは静電力で、記録媒体８上に固定されている。よって、このまま次工程でインクジェット記録ヘッド２０からインク滴２０Ａをインク受容性粒子層１６Ａに打ち込むと、インク量によっては、インク受容性粒子層１６Ａが乱れる場合がある。このため、事前にインク受容性粒子層１６Ａを予備定着することで、インク受容性粒子１６を記録媒体８の表面に仮固定しておく。
【００９１】
なお、予備定着によって、インク滴２０Ａの打ち込みによってインク受容性粒子１６が飛散し、インクジェット記録ヘッド２０のノズル面２０Ｂが汚染することも防止される。
【００９２】
予備定着装置１５０での予備加熱は、最終的な定着装置２２における定着用の加熱よりも低温である。具体的には、予備定着の加熱温度は、樹脂粒子１６Ｅの軟化温度より２０〜７０℃高い温度である。
【００９３】
すなわち、予備定着装置１５０での予備定着は、インク受容性粒子１６中の樹脂粒子１６Ｅを完全に溶融させて圧力により定着するのではなく、粒子間の空隙１６Ｇを残して、粒子間及び粒子と記録媒体表面とを結着させる程度でよい。このことにより、インク滴２０Ａが受容可能な程度に予備定着される。
【００９４】
また、予備定着装置１５０は、電子写真方式の画像形成装置に用いる一般的な加熱定着器(フューザー)を応用することが可能である。更に、電子写真方式の画像形成装置に用いる加熱定着器の他に、ヒーター加熱方法、オーブン方式、電磁誘導加熱方式等も使用できる。
【００９５】
さて、インク受容性粒子層１６Ａが予備定着された記録媒体８は、インクジェット記録ヘッド２０の下方に搬送される。
【００９６】
そして、画像データに基づき、インクジェット記録ヘッド２０からインク滴２０Ａが吐出され、記録媒体８の表面に形成されたインク受容性粒子層１６Ａに打ち込まれ、インク画像が形成される。（図９（Ｃ））。
【００９７】
インクはインク受容性粒子１６の空隙１６Ｇにより速やかに吸収され多孔質粒子１６Ｆの空隙に吸収され、順次インク溶媒が樹脂粒子１６Ｅに吸収されるとともに、インク中の顔料(色材)がインク受容性粒子１６を形成する１次粒子表面にトラップされ、インク画像が形成される。（図２（Ｂ）を参考）。
【００９８】
また、インク受容性粒子１６の２次粒子を構成している１次粒子間隙がフィルターの効果を発揮するとで、インク受容性粒子層１６Ａの表面部近傍に顔料をトラップすると共に、１次粒子表面にトラップされ固定される。そして、このことにより、インク受容性粒子層１６Ａの表面近傍に多くの顔料がトラップされる。
【００９９】
また、インク受容性粒子層１６Ａの表面近傍および１次粒子表面に顔料を確実にトラップさせるために、インクとインク受容性粒子１６を反応させることにより、顔料を速やかに不溶化(凝集)させる方法を採用しても良いし、このほうがより好ましい。
【０１００】
顔料がトラップされた後のインク溶媒はインク受容性粒子層１６Ａの深さ方向に浸透すると共に、多孔質粒子の空隙に保持される。
【０１０１】
インク溶媒を吸収した樹脂粒子１６Ｅは軟化することで、次工程での定着性の向上に寄与する。
【０１０２】
なお、高速で画像を書き込むためには、本実施形態のような記録媒体幅以上あるライン型インクジェット記録ヘッドが望ましいが、スキャン型のインクジェット記録ヘッドを用いて、順次画像を形成しても良い。
【０１０３】
また、インクジェット記録ヘッド２０のインク吐出手段は、圧電素子駆動型、発熱素子駆動型等、インク吐出可能な手段であれば制限はない。
【０１０４】
また、インクは従来のインクジェット記録装置に用いる一般的なインクを用いることができるが、顔料インクが好ましい。なお、インクについての詳細は別途説明する。
【０１０５】
記録媒体８は、搬送ベルト１２から剥離し、定着装置２２に送られ、インク受容性粒子層１６Ａに、圧力と熱を加えることで、記録媒体８上にインク受容性粒子層１６Ａが定着する。
【０１０６】
定着装置２２は加熱源を内蔵する加熱ロール２２Ａと対向する加圧ロール２２Ｂとから構成され、加熱ロール２２Ａ及び加圧ロール２２Ｂは当接されてニップを形成する。加熱ロール２２Ａ及び加圧ロール２２Ｂには、アルミコアの外表面にシリコーンゴムを被覆し、更にその上をＰＦＡチューブにて被覆されたものを使用している。なお、電子写真方式の画像形成装置に用いる定着装置（フューザー）と略同様の構成である。更に、上記電子写真方式の画像形成装置に用いる加熱定着器の他に、ヒーター加熱方法、オーブン方式、電磁誘導加熱方式等も使用できる。
【０１０７】
記録媒体８が加熱ロール２２Ａと加圧ロール２２Ｂとのニップ部を通過する際に、インク受容性粒子層１６Ａが加熱され、かつ圧力が加わり、樹脂粒子１６Ｅが軟化点(Ｔｇ)以上に加熱され軟化し(溶融されても良い)、記録媒体８にインク受容性粒子層１６Ａが定着する。このとき、インク中の液体(インク溶媒)は多孔質粒子１６Ｆ内に保持されており、樹脂粒子１６Ｅ間の空隙等に残っておらず、定着装置２２からの熱は、液体を加熱する等、樹脂粒子１６Ｅを定着させる以外に浪費されることがないので、効率よく樹脂粒子１６Ｅを加熱することが可能となる。
【０１０８】
また、インクが打ち込まれたインク画像部分の樹脂粒子１６Ｅはインク溶媒を吸収することにより、インクの液体成分が可塑剤として作用するため軟化し、定着性が向上する。このため、インク受容性粒子１６は記録媒体８として、例えば、普通紙に定着させる場合より、低い温度での加熱、または加圧のみでも定着可能である。
【０１０９】
よって、本実施形態のように、加熱と加圧の両方を用いる方法でなく、加熱のみ、又は加圧のみを用いる方法であっても良い。しかし、好ましくは加熱と加圧とを同時に行う方式が良い。
【０１１０】
加熱温度は、樹脂粒子１６Ｅの軟化温度に対して３０〜１００℃高い温度である。なお、本実施形態では、加熱ロール２２Ａの表面は１６０℃に制御している。
【０１１１】
さて、インク受容性粒子層１６Ａに受容／保持されたインク溶媒は、定着後もインク受容性粒子層１６Ａ内に保持され、通常の水性インクジェット記録におけるインク溶媒の乾燥と同じく、自然乾燥にて除去される。そのため、記録媒体８のインク浸透性の違いや、或いは、非浸透紙に対しても同じように、水性インクであってもより高速で高画質な画像を形成することが可能となる。
【０１１２】
また、定着時に印加される圧力ｏｒ／ａｎｄ熱を制御することで、記録媒体８に定着されたインク受容性粒子層１６Ａの表面の状態を変化させることが可能である。すなわち、圧力ｏｒ／ａｎｄ熱を増加させることにより、インク受容性粒子層１６Ａの表面の粗さが減少しグロスが向上する。或いは、圧力ｏｒ／ａｎｄ熱を減少させることにより、インク受容性粒子層１６Ａの表面が平滑化されないため(粗面）、グロスが低下し、マットな仕上がりとなる。
【０１１３】
なお、インク受容性粒子１６は画像形成後のインクの発色性を得る為、少なくとも定着後には透明となることが望ましい。
【０１１４】
以上の工程を経て、画像形成が終了し、記録媒体８は装置外に排出される。
【０１１５】
なお、今まで説明した、静電潜像の電位や、インク受容性粒子層１６Ａの層厚、定着温度等、その他の各種装置的条件は、インク受容性粒子１６、あるいはインクの組成、インクの吐出量等によって決定される為、それぞれにおいて最適化すればよい。
【０１１６】
また、図９を用いて説明したように、上記説明では、インク受容性粒子層１６Ａは、インク画像領域に形成している。しかし、正確には、インク受容性粒子層１６Ａの方がインク画像より大きい。これは、静電記録ヘッド１００とインク受容性粒子供給装置１８とで形成するインク受容性粒子層１６Ａの解像度より、インクジェット記録ヘッド２０によるインク画像の解像度のほうが高いためである。
【０１１７】
なお、本実施形態では、インク受容性粒子層１６Ａは、インク画像領域に形成しているが、これに限定されない。インク画像の領域を含んでいれば、それ以上広い領域に形成しても良い。例えば、記録媒体８全面に形成しても良い。この場合は、定着後に記録媒体８の全面にインク受容性粒子層１６Ａが形成されているので、記録媒体８の全面が光沢をもった表面にすることができる。
【０１１８】
つぎに、本発明の第二実施形態に係る画像形成装置について説明する。なお、第一実施形態と同一の部材は、同一の符号や部材名とし、重複する説明は省略する。
【０１１９】
最初に装置全体の概要について説明する。
【０１２０】
第一実施形態の画像形成装置では、記録媒体８に形成されたインク受容性粒子層１６Ａに直接インク滴２０Ａを吐出して着弾させ、インク画像を形成していた。（図２参照）。これに対し、第二実施形態の画像形成装置１１は、図３に示すように、中間転写ベルト１２１にインク滴２０Ａ（図２（Ａ）参照）を吐出して、中間転写ベルト１２１にインク画像を形成し、そして、中間転写ベルト１２１に形成されたインク画像を、記録媒体８に形成されたインク受容性粒子層１６Ａに転写することで、インク受容性粒子層１６Ａにインク画像を形成している。
【０１２１】
次に、各構成要素と画像形成のプロセスについての詳細を説明する。なお、第一実施形態とは異なるところのみ説明する。
【０１２２】
無端ベルト状の中間転写ベルト１２１にインクジェット記録ヘッド２０が画像信号に基づきインク滴２０Ａ（図２（Ａ）参考）を吐出し、インク画像を形成する。
【０１２３】
中間転写ベルト１２１と搬送ベルト１２とは、転写装置１２２の、対向する転写ロール１２２Ｂとバックアップロール１２２Ａとの間に挟まれ、ニップ部を形成している。転写ロール１２２Ｂ及びバックアップロール１２２Ａは、複数本あり、ニップ部は、所定の長さを有している。
【０１２４】
そして、インク受容性粒子層１６Ａが予備定着した記録媒体８を、ニップ部で挟持搬送することで、中間転写ベルト１２１と重ね合わせ、圧力を加えることにより記録媒体８上のインク受容性粒子層１６Ａにインクが浸透し、インク画像が転写される。
【０１２５】
ニップ部を長く形成されるように構成しているのは、インクが浸透する時間が十分に得られようにするためである。
【０１２６】
中間転写ベルト１２１に形成されたインク画像は、インク受容性粒子層１６Ａと接触することにより、インク受容性粒子１６の空隙１６Ｇにより速やかに吸収され、順次溶媒が多孔質粒子１６Ｆの空隙に吸収されると共に、顔料(色材)がインク受容性粒子１６を形成する１次粒子表面にトラップされる。
【０１２７】
また、２次粒子を構成している１次粒子間隙がフィルターの効果を発揮し、インク受容性粒子層１６Ａの表面部近傍に顔料をトラップすると共に、１次粒子表面にトラップされ固定されることで、インク受容性粒子層１６Ａの表面近傍に多くの顔料がトラップされる。
【０１２８】
なお、このように中間転写ベルト１２１にインク画像を形成して、インク受容性粒子層１６Ａに転写するほうが、インク画像の乱れが少ないので、より高画質となる。
【０１２９】
さて、中間転写ベルト１２１の転写装置１２２の下流側には、中間転写ベルト１２１の表面に残留しているインク、或いは転写の際に付着したインク受容性粒子１６、その他の異物(例えば、紙粉等)を、除去するためのクリーニング装置３０が配置されている。
【０１３０】
なお、静電記録ヘッド１００による静電潜像形成（インク受容性粒子層１６Ａ形成）のタイミングとインクジェット記録ヘッド２０によるインク画像形成のタイミングは、最終的に転写することで、各々で形成された同一画像が同一箇所で重なるように、タイミングなどが制御される。
【０１３１】
また、定着装置２２は、搬送ベルト１２の上方にある。
【０１３２】
なお、高速で画像を書き込むためには、記録媒体８幅のライン型インクジェット記録ヘッドが望ましいが、スキャン型のインクジェット記録ヘッドを用いて、中間転写ベルト１２１に順次インク画像を形成しても良い。
【０１３３】
インクジェット記録ヘッド２０のインク吐出手段は、圧電素子駆動型、発熱素子駆動型等、インク吐出可能な手段であれば制限はない。
【０１３４】
インクはインクジェット記録装置に用いる一般的なインクを用いることができるが、顔料インクが望ましい。
【０１３５】
インクジェット記録ヘッド２０と転写装置１２２と間に離形剤塗布装置４０を配置し、中間転写ベルト１２１の表面に離形層を形成してもよい。
【０１３６】
離形剤塗布装置４０は、塗布ローラー４０Ａにより中間転写ベルト１２１の表面に離形剤を塗布し、ブレード４０Ｂで層厚を規定する。連続的に画像形成及びプリントをできるようにするために、離形剤塗布装置４０を中間転写ベルト１２１に連続的に接触するようにしても良いし、中間転写ベルト１２１から適宜離間するような構成としても良い。また、離形剤塗布装置４０に、独立した液体供給システムから離形剤を供給して、離形剤の塗布がとぎれないようにしてもよい。なお、シリコーンオイル、アミノシリコーンオイル等、電子写真方式の画像形成装置に用いる離形剤を使用することができる。
【０１３７】
また、クリーニング装置２４の下流側に、除電装置２９を配置しても良い。除電装置２９は導電性ロールを使用し、従動ロール３１（接地）と挟み込んで、±３ｋＶ、５００Ｈｚ程度の交流電圧を印加することにより、中間転写ベルト１２１表面を除電することができる。
【０１３８】
つぎに、中間転写ベルト１２１について説明する。
【０１３９】
中間転写ベルト１２１は、厚さ約１．０ｍｍからなるポリイミドフィルムからなるベース層の上に厚さ約４００μｍのシリコーンゴムからなる表面層が形成されている。
【０１４０】
前述したように、インク画像の転写効率を向上させる(中間転写ベルト１２１から記録媒体８への効率的な転写)ために、中間転写ベルト１２１の表面には離形層が形成されていることが望ましい。離形層は、上述したように、離形剤塗布装置４０により中間転写ベルト１２１の表面に離形層を形成してもよいし、或いは、中間転写ベルト１２１の表面(材質)として形成されていても、外添することにより中間転写ベルト１２１１表面にオン・プロセスで離形層を形成しても良い。
【０１４１】
中間転写ベルト１２１の表面自体を離形層とする場合は、テトラフルオロエチレン-エチレン共重合体、ポリビニリデンフルオライド、テトラフルオロエチレン・パーフルオロアルキルビニルエーテル共重合体、テトラフルオロエチレン・ヘキサフルオロプロピレン共重合体等のフッ素樹脂、また、弾性体としてはシリコーンゴム、フルオロシリコーンゴム、フェニルシリコーンゴムが好ましい。
【０１４２】
また、外添により離形層を形成する場合は、上記ベルト基材その物、また弾性体を形成する場合には、シリコーンゴム、フルオロシリコーンゴム、フェニルシリコーンゴム、フッ素ゴム、クロロプレンゴム、ニトリルゴム、エチレンプロピレンゴム、スチレンゴム、イソプレンゴム、ブタジエンゴム、エチレンプロピレンブタジエンゴム、ニトリルブタジエンゴム等があげられる。
【０１４３】
ベルト基材としては、装置内におけるベルト回転駆動が可能で、必要な機械強度を持つものであれば良い。具体的には、ポリイミド、ポリアミドイミド、アラミド樹脂、ポリエチレンテレフタレート、ポリエステル、ポリエーテルサルフォン、ステンレス、等があげられる。
【０１４４】
つぎに、本発明の第三実施形態に係る画像形成装置について説明する。なお、第一実施形態及び第二実施形態と同一の部材は、同一の符号や部材名とし、重複する説明は省略する。
【０１４５】
図４に示すように、第三実施形態の画像形成装置１３は、第二実施形態の画像形成装置１１での中間転写ベルト１２１を中間転写ドラム２１２とし、中間転写ドラム２１２に形成されたインク画像を、記録媒体８のインク受容性粒子層１６Ａに転写装置２２２で転写する構成である。
【０１４６】
中間転写ベルト１２１に対し中間転写ドラム２１２は剛体であるため、インクジェット記録ヘッド２０のノズル面２０Ｂと中間転写ドラム２１２の表面との距離を一定に保つこと容易である。
【０１４７】
また、記録画像を複数回に分割して画質を向上させるインクジェット特有のマルチパス記録を行う場合、ベルトと比較してドラムの方が繰返し記録位置精度の確保等が容易である。中間転写ドラム２１２上にマルチパス記録を行うには、中間転写ドラム２１２を搬送ベルト１２から離間させた状態でインク画像形成を行い、転写時に中間転写ドラム２１２と搬送ベルト１２とがニップ部を形成するように接触させることで、中間転写ドラム２１２上に形成されたインク画像を記録媒体８上に形成されたインク受容性粒子層１６Ａに転写可能となる。
【０１４８】
次に、中間転写ドラム２１２について説明する。
【０１４９】
中間転写ドラム２１２は、表面を陽極酸化処理したアルミニウムまたはアルミニウム合金からなる導電性基体が使用される。アルミニウム合金としては、アルミニウム／マグネシウム合金、アルミニウム／チタニウム合金等が使用される。これら原材料の表面は、均一な陽極酸化被膜を形成するために、鏡面加工されていることが好ましい。陽極酸化処理は、クロム酸、硫酸、シュウ酸、ホウ酸、リン酸などの酸性浴中で、電圧５〜５００Ｖ、電流密度０．１〜５Ａ／ｄｍ２ の条件で行うのが好まし。陽極酸化被膜の厚さは、２〜５０μｍが好ましく、５〜１５μｍがより好ましい。陽極酸化処理された表面は、多孔質であることが多いが、多孔質表面は、化学的に不安定なので、沸騰水や、水蒸気を用いた水和封孔処理を施すことが好ましい。
【０１５０】
なお、本実施形態では、アルミニウムパイプの表面を鏡面加工したものを硫酸中、電流密度１．５Ａ／ｄｍ２ の条件で陽極酸化処理を行い、７μｍの陽極酸化被膜を形成し、続いて沸騰水による封孔処理を行った。
【０１５１】
また、インク画像の転写効率を向上させる(中間転写ドラム２１２から記録媒体８への効率的な転写)ために、中間転写ドラム２１２の表面には離形層が形成されていることが望ましい。離形層は、離形剤塗布装置４０により中間転写体表面に離形層を形成してもよいし、或いは、中間転写ドラム２１２の体表面(材質)として形成されていても、外添することにより中間転写ドラム２１２表面にオン・プロセスで離形層を形成しても良い。
【０１５２】
離形剤は、第二実施形態と同様のものが使用できる。
【０１５３】
中間転写ドラム２１２表面を離形層とする場合は、テトラフルオロエチレン-エチレン共重合体、ポリビニリデンフルオライド、テトラフルオロエチレン・パーフルオロアルキルビニルエーテル共重合体、テトラフルオロエチレン・ヘキサフルオロプロピレン共重合体等のフッ素樹脂や、弾性体としてはシリコーンゴム、フルオロシリコーンゴム、フェニルシリコーンゴムが好ましい。
【０１５４】
ドラム基材としては、外周面に半導電性あるいは絶縁性の表面層が形成されたアルミやステンレス等がある。
【０１５５】
外添により離形層を形成する場合は、アルミの表面を陽極酸化した物、また弾性体を形成する場合には、シリコーンゴム、フルオロシリコーンゴム、フェニルシリコーンゴム、フッ素ゴム、クロロプレンゴム、ニトリルゴム、エチレンプロピレンゴム、スチレンゴム、イソプレンゴム、ブタジエンゴム、エチレンプロピレンブタジエンゴム、ニトリルブタジエンゴム等があげられる。
【０１５６】
つぎに、本発明の第四実施形態に係る画像形成装置について説明する。なお、第一実施形態から第三実施形態と同一の部材は、同一の符号や部材名とし、重複する説明は省略する。
【０１５７】
最初に装置全体の概要について説明する。
【０１５８】
第一実施形態から第三実施形態の画像形成装置では、静電記録ヘッド１００で、記録媒体８の所定の領域に静電潜像を形成していた（図１、図２参照）。これに対し、第四実施形態の画像形成装置４００は、図５（Ａ）に示すように、帯電ロール４０２で、記録媒体８の表面全域を所定の表面電位に帯電し、記録媒体８の全面にインク受容性粒子層１６Ａを形成している。
【０１５９】
次に、各構成要素と画像形成のプロセスについての詳細を説明する。なお、第一実施形態と異なるところのみ説明する。
【０１６０】
画像形成装置４００は、帯電ロール４０２と記録媒体８（と搬送ベルト１２）を挟んで配置されている従動ロール４０４も備えている。帯電ロール４０２にはＤＣ電源を接続し、帯電電圧として１ｋＶ(定電圧制御)が印加される。従動ロール４０４はフレームグランドに電気的に接続されている。
【０１６１】
そして、帯電ロール４０２は、従動ロール４０４とで記録媒体８を挟持搬送し、押圧位置では、電圧が印加された帯電ロール４０２と接地された従動ロール４０４との間に所定の電位差が生じるため、記録媒体８に電荷を与えられ、記録媒体８表面が帯電する。
【０１６２】
なお、ここでは、インク受容性粒子供給装置４１８の粒子供給ロール４１８Ａと記録媒体８の表面とで形成する電界による静電力により、インク受容性粒子１６が記録媒体８の表面に供給／吸着可能な電位とすればよい。
【０１６３】
帯電ロール４０２は、ステンレスを材料とする棒状の外周面に、導電性付与材を分散させた弾性層(発泡ウレタン樹脂)を形成し、体積抵抗率１０^６〜１０^８Ω・ｃｍ程度に調整したロール。さらに、弾性層の表面を厚さ５〜１００μｍの撥水撥油性のスキン層(ＰＦＡ)を被覆。装置内の湿度変化や帯電層表面への汚染物質の付着などによる特性変化（抵抗値変化）を抑えるのに効果がある。
【０１６４】
なお、帯電ロール４００２（と従動ロール４０４）でなく、コロトロン帯電器、スコロトロン帯電器、或いはブラシ帯電器で帯電する構成であっても良い。さらに、図５（Ｂ）に示すような、針状電極４１０の放電によって帯電する構成としても良い。また、針状電極４１０は複数の電極部４１０Ａからなり、それぞれ独立して高圧を印加して放電可能とし、幅方向の所定の領域に帯電可能としても良い。
【０１６５】
また、コロトロン帯電器、スコロトロン帯電器、針状電極４１０による帯電は、記録媒体８に非接触で電荷を与えることが可能である。
【０１６６】
インク受容性粒子供給装置４１８は、供給ロール４１８Ａを備えている。供給ロール４１８Ａは、アルミニウム、ステンレススチール等を材料とする棒状またはパイプ状の外周面に、導電性付与材を分散させた弾性層を形成し、体積抵抗率１０^６〜１０^８Ω・ｃｍ程度に調整したφ１０〜２５ｍｍのロールなどが使用できる。弾性層は、ウレタン系樹脂、熱可塑性エラストマー、エピクロルヒドリンゴム、エチレン−プロピレン−ジエン共重合体ゴム、シリコン系ゴム、アクリロニトリル−ブタジエン共重合体ゴム、ポリノルボーネンゴム等の樹脂材料が単独または二種以上の混合物として使用され、望ましい材料としては発泡ウレタン樹脂がある。上記発泡ウレタン樹脂としては、ウレタン系樹脂に中空ガラスビーズや熱膨張型マイクロカプセル等の中空体を混合分散して独立気泡構造を付与したものが望ましく、このような発泡ウレタン樹脂は帯電ロールとして望ましい低硬度弾性を有し、記録媒体８に対する高い接触安定性が得られるとともに、ニップ形成性も良好になる。さらに、弾性層の表面を厚さ５〜１００μｍの撥水性のスキン層で被覆しても良く、その場合には装置内の湿度変化や帯電層表面へのインクミストの付着などによる特性変化（抵抗値変化）を抑えるのに効果がある。
【０１６７】
また、粒子供給ロール４１８Ａを押圧するように帯電ブレード４１８Ｂが設けられている。この帯電ブレード４１８Ｂは、粒子供給ロール４１８Ａの表面に付着するインク受容性粒子１６の層厚を規制する機能と、静電潜像と逆極性であるマイナス極性にインク受容性粒子１６を帯電させる機能と、を併せもつ。
【０１６８】
なお、本発明は上記の各実施形態に限定されない。
【０１６９】
例えば、上記の各実施形態においては、ブラック、イエロー、マゼンタ、シアンの各色のインクジェット記録ヘッド２０Ｙ，２０Ｍ，２０Ｃ，２０Ｋから画像データに基づいて選択的にインク滴２０Ａが吐出されてフルカラーの画像が記録媒体８に記録されるようになっているが、本発明は記録媒体上への文字や画像の記録に限定されるものではない。すなわち、工業的に用いられる液滴吐出（噴射）装置全般に対して、本発明に係る液滴吐出装置を適用することができる。
【０１７０】
例えば、吐出する液滴の記録材も顔料や染料などの色材に限定されない。例えば、紫外線を照射すると蛍光発光するような記録材であっても良い。あるいは、磁性体（粉）などであっても良い。
【０１７１】
つぎに、インク受容性粒子についての詳細を説明する。
＜インク受容性粒子＞
本発明の各実施形態において用いられるインク受容性粒子とは、以下のようなものが考えられる。
【０１７２】
すなわち、本発明のインク受容性粒子はインクを受容するものである。ここで、インク受容性とは、インク成分の少なくとも１部（少なくとも液体成分）を保持することを示す。そして、本発明のインク受容性粒子は、少なくとも前記インクの液体成分をトラップするトラップ構造を有し、且つ吸液性樹脂を含んで構成されている。
【０１７３】
本発明のインク受容性粒子は、インクを受容する際（インク受容方法）、まず、インクがインク受容性粒子に付着すると、少なくともインクの液体成分をトラップ構造によりトラップする。このとき、インクの成分のうち記録材は顔料や染料などを問わず、インク受容性粒子表面に付着又はトラップ構造によりトラップされる。その後、トラップしたインクの液体成分を吸液性樹脂により吸液する。このようにして、インク受容性粒子はインクを受容する。
【０１７４】
このトラップ構造によるインク液体成分のトラップは、物理的な粒子壁構造による捕獲なので、吸液性樹脂による吸液に比べ遥かに早い。よって、インクを受容したインク受容性粒子は浸透媒体や非浸透媒体など問わず多様な記録媒体において、短時間で次工程を行うことが可能となる。しかも、トラップされたインクの液体成分は吸液性樹脂によりインクの液体成分が吸収されるので、その保持安定性が向上しており、定着の際、インクを受容したインク受容性粒子へ物理的な力が加わっても、液体成分が漏れ出すこともなく滲みなどが生じることない。
【０１７５】
従って、種々のインクを利用しても、多様な記録媒体に対して高速且つ高画質で記録が可能となる。
【０１７６】
また、インクの液体成分が完全にトラップされた状態で、記録媒体は搬送されるので、記録媒体のカール、カクル、さらには吸液による記録媒体強度低下も防止される。
【０１７７】
また、インク受容性粒子の吸液性樹脂は、記録材の結着樹脂や被覆樹脂として機能するので、定着性や記録物の定着性（耐擦性）をも向上させ、記録物のグロス制御も可能となる。さらに、記録材として顔料や染料問わず、高発色が得られる。
【０１７８】
なお、記録材として顔料等の不溶成分、分散粒子状物を用いたインク（例えば顔料インク）の定着性（耐擦性）を改善するためにはインクに多量のポリマー添加が必要だが、インク（その処理液含む）中に多量のポリマーを添加すると、インク吐出手段のノズル目詰り等の信頼性が悪化してしまう。これに対し、本発明では、吸液性樹脂が当該ポリマーの機能を果たすので、高画質・高定着とシステムの高信頼の両立が可能となる。
【０１７９】
ここで、「トラップ構造」は、少なくとも液体を保持し得る物理的な粒子壁構造であり、具体的には、例えば、空隙構造、凹構造、毛管構造などのである。このため、上述のように、トラップ構造によるインク液体成分のトラップは、吸液性樹脂による吸液に比べ遥かに早い。これら構造の最大開口径は５０ｎｍ以上５μｍ以下が好ましく、より好ましくは３００ｎｍ以上１μｍ以下である。特に、最大開口径は、記録材、特に例えば体積平均粒径１００ｎｍの顔料をトラップし得る大きさであることがよい。但し、最大開口径が５０ｎｍ未満の微細孔が同時に存在してもよい。また、吸液性向上の観点から、空隙や毛細管は粒子内部で連通していることがよい。
【０１８０】
このように、トラップ構造は、インクの成分のうち液体成分のみならず、記録材もトラップすることがよい。インク液体成分と共に記録材、特に顔料をトラップ構造にトラップさせると、即ちインク受容性粒子内部に記録材が偏在することなく保持・固定され、高速記録と高画質化との両立が好適に図れる。なお、インクの液体成分は、主にインク溶媒（分散媒：ビヒクル液体）である。
【０１８１】
本発明のインク受容性粒子は、上記トラップ構造を持たせるため、例えば、図６に示すような吸液性樹脂の微粒子５０２が集合した複合体粒子５００であることが好適である。また、本発明のンク受容性粒子は、インク液体成分の吸液性を向上させるため、図７に示すように、吸液性樹脂の微粒子５０２に加え、無機微粒子５０４が集合した複合粒子５００であることが吸水性付与、帯電・導電性付与など種々の機能を付与可能となるため特に好適である。これら複合粒子は各粒子間の間隙により空隙構造が形成される。
【０１８２】
ここで、吸液性樹脂の微粒子の粒径は、体積平均粒径で５０ｎｍ〜１０μｍが好ましく、より好ましくは０．１μｍ〜５μｍ、さらに好ましくは０．２μｍ〜２μｍである。また、無機微粒子の粒径は、体積平均粒径で１０ｎｍ〜３０μｍ、好ましくは５０ｎｍ〜１０μｍ、さらに好ましくは０．１μｍ〜５μｍである。なお、吸液性樹脂の微粒子及び無機微粒子は一次粒子であってもよく、一次粒子を造粒した集合体であってもよい。
【０１８３】
そして、これらの複合粒子は、例えば、微粒子が半焼結状態で造粒されることで得られる。半焼結状態とは、粒子形状がある程度の残っており、当該粒子間で空隙を保持している状態を示す。なお、複合粒子は、トラップ構造にインク液体成分がトラップされたとき、微粒子の一部が解離する、即ち複合粒子が解体され、これを構成する粒子がばらけてもよい。
【０１８４】
なお、無機微粒子としては、無色、淡色或いは白色の粒子（例えば、コロイダル・シリカ、アルミナ、炭酸カルシウム、酸化亜鉛、酸化チタン、酸化スズ等）が挙げられる。これら無機微粒子は、表面処理（部分疎水化処理、特定官能基導入処理等）を施されてもよい。例えば、シリカの場合には、シリカの水酸基をトリメチルクロロシラン、ｔ−ブチルジメチルクロロシランなどのシリル化剤で処理してアルキル基を導入する。シリル化剤によって脱塩酸が生じ、反応が進む。この際、アミンを添加すると塩酸を塩酸塩にして反応を促進することもできる。疎水性基としてアルキル基やフェニル基を有するシランカップリング剤やチタネート系、ジルコネート系等のカップリング剤の処理量や処理条件を制御することでコントロールできる。また、同様に脂肪族アルコール類や高級脂肪酸及び同誘導体類での表面処理も可能である。また、（置換）アミノ基や四級アンモニウム塩構造を有するシランカップリング剤等のカチオン性官能基を有するカップリング剤類、フルオロシランの様なフッ素系官能基を有するカップリング剤、その他カルボン酸等のアニオン性官能基を有するカップリング剤類での表面処理も可能である。特に、無機微粒子は多孔質であることが、インク受容性粒子への効果的な吸液性付与の観点からよい。
【０１８５】
本発明のインク受容性粒子は、空隙構造、凹構造、毛管構造などのトラップ構造を有すれば、例えば、図８に示すように、ロストワックス法等により得られる、又は、ガス注入や発泡剤混入によって内部に気泡を含んだ溶融樹脂、溶解樹脂等を固化、粉砕することで得られる、表面に凹部５０６Ａ（例えば、最大開口径１００ｎｍ以上、好ましくは２００ｎｍ〜２０００ｎｍ））を有する吸液性樹脂の微粒子５０６で構成してもよい。しかし、上記造粒法による複合粒子が最も好適である。
【０１８６】
本発明のインク受容性粒子の粒径は、球換算の平均直径が０．５μｍ〜６０μｍであることが好ましく、より好ましくは１μｍ〜３０μｍ、さらに好ましくは３μｍ〜１５μｍである。ここで、球換算の平均直径は次のように求められる。粒子サイズによって最適方法は異なるが、例えば粒子を液体中に分散し光散乱原理で粒径を求める、粒子の投影像を画像処理で求める等多種の方法が利用できる。汎用的に使用できる方法としては、マイクロトラックＵＰＡ法やコールターカウンター法が挙げられる。
【０１８７】
次に、吸液性樹脂について説明する。吸液性樹脂は、吸液したインク液体成分（例えば水、水性溶媒）が樹脂（ポリマー）の可塑剤として作用するため、軟化して定着性が向上する。
【０１８８】
一方、吸液しすぎて高膨潤してしまうと、滲みが生じたり定着性が低下してしまうため、吸液性樹脂は弱吸液性樹脂であることが好適である。この弱吸液性樹脂とは、例えば液体として水を吸収する場合、樹脂質量に対して数％（≒５％）からせいぜい数百％（≒５００％）、好ましくは５％〜１００％程度の吸液が可能な親液性樹脂を意味する。
【０１８９】
ここで、吸液性が約５％を下回る場合は、空隙にトラップされた液体が、定着時に空隙部から溢れ出たり、画像劣化させたりしやすくなることがある。また、樹脂の可塑化が不十分なため定着に高エネルギーが必要となる。逆に吸液能力が高すぎる場合は、吸液だけでなく吸湿も活発なため、インク受容性粒子のハンドリングの環境依存が大きくなり使用困難となることがある。例えば、樹脂を高度に架橋し吸湿しても粒子相互の融着が起こらない様にすることも可能である（例えば、市販の吸水性樹脂）。しかし、その場合は記録媒体に対して定着が困難となる。そして弱吸液性樹脂の場合、強吸液性樹脂よりも当然樹脂自体の吸液速度は遅くなるため、初期的に液体を空隙構造にトラップし次いで樹脂中に吸液する形でインク受容性粒子の構造と物性を設計することが重要なポイントとなる。
【０１９０】
このような観点から、吸液性樹脂は、例えば、親水性モノマー単独重合体、或いは親水性モノマーと疎水性モノマーとの両モノマーから構成された共重合体で構成することができるが、弱吸水性樹脂とするためには当該共重合体が好ましい。なお、モノマーだけでなく、ポリマー／オリゴマー構造などのユニットをスタートに他のユニットを共重合させるグラフト共重合体やブロック共重合体でもよい。
【０１９１】
ここで、親水性モノマーとしては、−ＯＨ、−ＥＯユニット（エチレンオキサイド基）、−ＣＯＯＭ（Ｍは例えば水素、Ｎａ、Ｌｉ、Ｋ等のアルカリ金属、アンモニア、有機アミン類等である。）、−ＳＯ３Ｍ（Ｍは例えば水素、Ｎａ、Ｌｉ、Ｋ等のアルカリ金属、アンモニア、有機アミン類等）、−ＮＲ３（Ｒは例えば、Ｈ、アルキル、フェニル等である。）、−ＮＲ４Ｘ（Ｒは例えば、Ｈ、アルキル、フェニル等であり、Ｘは例えば、ハロゲン、硫酸根、カルボン酸等の酸アニオン類、ＢＦ４、等々である。）等を含むモノマーが挙げられる。具体的には、例えば、２−ヒドロキシエチルメタクリレート、２−ヒドロキシエチルアクリレート、アクリルアミド、アクリル酸、メタクリル酸、不飽和カルボン酸、クロトン酸、マレイン酸等が挙げられる。また、親水性ユニットもしくはモノマーとしては、セルロース、エチルセルロース、カルボキシメチルセルロース等のセルロース誘導体、でんぷん誘導体、単糖類・多糖類誘導体、ビニルスルホン酸、スチレンスルホン酸、アクリル酸、メタクリル酸、（無水）マレイン酸、等の重合性カルボン酸類やこれらの（部分）中和塩類、ビニルアルコール類、ビニルピロリドン、ビニルピリジンやアミノ（メタ）アクリレート及びジメチルアミノ（メタ）アクリレートの如き誘導体、更にはこれらのオニウム塩類、アクリルアミドやイソプロピルアクリルアミド等のアミド類、ポリエチレンオキサイド鎖含有ビニル化合物類、水酸基含有ビニル化合物類、多官能カルボン酸と多価アルコールから構成されるポリエステル類、特にトリメリット酸の如き３官能以上の酸を構成成分として含有し末端カルボン酸や水酸基を多く含む分岐ポリエステル、ポリエチレングリコール構造を含むポリエステル、等も挙げられる。
【０１９２】
疎水性モノマーとしては、疎水性基を有するモノマーが挙げられ、具体的には、例えばオレフィン（チレン、ブタジエン等）、スチレン、α−メチルスチレン、α−エチルスチレン、メタクリル酸メチル、メタクリル酸エチル、メタクリル酸ブチル、アクリロニトリル、酢酸ビニル、アクリル酸メチル、アクリル酸エチル、アクリル酸ブチル、メタクリル酸ラウリル等が挙げられる。疎水性ユニットもしくはモノマーとしてはスチレン、α−メチルスチレン、ビニルトルエン等のスチレン誘導体、ビニルシクロヘキサン、ビニルナフタレン、ビニルナフタレン誘導体、アクリル酸アルキルエステル、アクリル酸フェニルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル、ポリエチレン、エチレン／酢酸ビニルやポリプロピレン等のポリオレフィン類等、及びこれらの誘導体も挙げられる。
【０１９３】
このような親水性モノマーと疎水性モノマーとの共重合体からなる吸液性樹脂として、具体的には、例えば、（メタ）アクリル酸エステル類、スチレン／（メタ）アクリル酸／（無水）マレイン酸類共重合体、エチレン／プロピレン等のオレフィン系ポリマー（又はこの変性体、又は共重合によるカルボン酸ユニット導入物）、トリメリット酸等で酸価を向上した分岐ポリエステル、ポリアミド等が好適に挙げられる。
【０１９４】
吸液性樹脂には、中和塩構造（例えばカルボン酸など）を含むことが好ましい。このカルボン酸などの中和塩構造は、カチオン（例えばＮａ，Ｌｉ等の一価金属カチオン等）を含むインクを吸液したとき、当該カチオンとの相互作用で、アイオノマーを形成し、最終記録物の定着強度が向上する。また、カルボン酸などの中和塩構造は、アニオン基を有する記録材（例えば顔料や染料）の凝集を促進するので、画質も向上する。
【０１９５】
吸液性樹脂には、置換或いは未置換アミノ基や、置換或いは未置換ピリジン基を含むことも好ましい。当該基は、殺菌効果や、アニオン基を有する記録材（例えば顔料や染料）との相互作用を及ぼすので、画質や定着性が向上する。
【０１９６】
ここで、吸液性樹脂において、親水性ユニット（親水性モノマー）と疎水性ユニット（親水性モノマー）とのモル比（親水性モノマー：疎水性モノマー）は、５：９５〜７０：３０が好ましく、より好ましくは７：９３〜６０：４０、さらに好ましくは１０：９０〜５０：５０である。特に、親水性ユニットは全体に対し５〜７０モル％であることが好ましく、より好ましくは１０〜５０モル％であることが好ましい。親水性モノマーを上記範囲とすることで、インク受容性粒子が水性液体を吸液する場合の吸水速度の向上、吸水量の向上と高湿〜低湿環境での受容性粒子のハンドリング性、定着性のバランスが鼎立可能となる。
【０１９７】
また、吸液性樹脂は、直鎖構造でもよいが、分嵯構造がよい。また、吸液性樹脂は、非架橋もしくは低架橋であることが好ましい。また、吸液性樹脂は直鎖構造のランダム共重合体やブロック共重合体でも良いが、分岐構造の重合体（分岐構造のランダム共重合体、ブロック共重合体、グラフト共重合体を含む）が更に好適に使用できる。例えば、重縮合で合成されるポリエステルの場合、分岐構造で末端基を増加させると、親水性、吸水性と粒子ハンドリングや定着性の制御ラチチュードを拡張しやすくなる。付加重合系であれ重縮合系であれ、分岐部に例えばカルボン酸基を配置するとインクからカチオンを供給することで最終的にイオン架橋型の強固な定着画像形成が可能となりやすい。このような分岐構造は、ジビニルベンゼン、ジ（メタ）アクリレート類等のいわゆる架橋剤を合成時に微量添加したり（例えば１％未満の添加）、架橋剤と共に開始剤を多量添加することで合成することがポピュラーな手法の一つである。この時、注意すべきことは、いわゆる市販の吸水性樹脂の様に架橋度を高め３次元ネットワークが形成されると記録像の定着が困難になったり定着に要するエネルギーが増大してしまうことである。定着特性を確保するためには、架橋反応が起こってもそれは一部に留め、全体としては熱可塑性が十分維持されるように調製する必要がある。
【０１９８】
また、吸収性樹脂は、インクから供給されるイオンによりイオン架橋してもよい。吸水性樹脂中が（メタ）アクリル酸やマレイン酸等のカルボン酸を含む共重合体やカルボン酸を有する（分岐）ポリエステル等、樹脂中にカルボン酸を含むユニットを存在させた場合、定着後の樹脂像の強度が高まる傾向がある。これは樹脂中のカルボン酸と水性インク等の液体から供給されるアルカリ金属カチオン、アルカリ土類金属カチオン、有機アミン・オニウムカチオン等との間にイオン架橋や酸・塩基相互作用等が生じ、定着像が強化されるためだろう、と推測している。
【０１９９】
また、吸液性樹脂は、極性基を含むことで、親水性、帯電・導電性を付与できる観点からよい。例えば、親水性を付与する極性基としては、親水性モノマーと同じで、例えば、水酸基、エチレンオキサイド基、カルボン酸、アミノ基、等が挙げられる。帯電・導電性を付与する極性基の導入は、正帯電性付与の場合、例えば（置換）アミノ基、（置換）ピリジン基やそのアミン塩、４級アンモニウム塩等の造塩化構造の導入、負帯電付与の場合、カルボン酸（塩）、スルホン酸（塩）等の有機酸（塩）構造の導入が有効である。更には低分子の４級アンモニウム塩類や有機ホウ酸塩類、サリチル酸誘導体の造塩化合物類等、電子写真トナー用帯電制御剤を吸液性樹脂に添加してもよい。導電性制御は酸化スズや酸化チタン等の導電性、半導電性の無機物質添加が有効である。
【０２００】
吸液性樹脂は、非結晶樹脂であることがよく、そのガラス転移温度（Ｔｇ）は、４０℃〜９０℃が好ましく、より好ましく５０〜７０℃である。ガラス転移温度を上記範囲とすることで、粒子ハンドリング性、画像ブロッキング性と画像定着性の両立が可能となる。ガラス転移温度（及び融点）は、ＡＳＴＭＤ３４１８−８に準拠して測定された主体極大ピークより求めた。主体極大ピークの測定には、パーキンエルマー社製のＤＳＣ−７を用いることができる。この装置の検出部の温度補正はインジウムと亜鉛との融点を用い、熱量の補正にはインジウムの融解熱を用いる。サンプルは、アルミニウム製パンを用い、対照用に空パンをセットし、昇温速度１０℃／ｍｉｎで測定を行った。
【０２０１】
吸液性樹脂の重量平均分子量は、３０００〜３０万が好ましく、より好ましくは１００００〜１０万である。この重量平均分子量を上記範囲とすることで、速やかな吸液、低エネルギーでの定着実現と定着後の画像強度両立が可能となる。重量平均分子量は、以下の条件で行ったものである。例えば、ＧＰＣは「ＨＬＣ−８１２０ＧＰＣ、ＳＣ−８０２０（東ソー（株）社製）装置」を用い、カラムは「ＴＳＫｇｅｌ、ＳｕｐｅｒＨＭ−Ｈ（東ソー（株）社製６．０ｍｍＩＤ×１５ｃｍ）」を２本用い、溶離液としてＴＨＦ（テトラヒドロフラン）を用いた。実験条件としては、試料濃度０．５％、流速０．６ｍｌ／ｍｉｎ．、サンプル注入量１０μｌ、測定温度４０℃、ＩＲ検出器を用いて実験を行った。また、検量線は東ソー社製「ｐｏｌｙｓｔｙｌｅｎｅ標準試料ＴＳＫ  ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作製した。
【０２０２】
吸液性樹脂の酸価は、カルボン酸基（−ＣＯＯＨ）換算で５０〜１０００であり、より好ましくは１５０〜５００であり、さらに好ましくは５０〜５００であり、特に好ましくは１００〜３００である。酸価を上記範囲とすることで、粒子のハンドリング性と吸水性、定着性の制御が可能となる。このカルボン酸基（−ＣＯＯＨ）換算での酸価の測定は次のように行った。
【０２０３】
酸価は、ＪＩＳ  Ｋ００７０に従って行い、中和滴定法を用いた測定で行った。即ち、適当量の試料を分取し、溶剤（ジエチルエーテル／エタノール混合液）１００ｍｌ、及び、指示薬（フェノールフタレイン溶液）数滴を加え、水浴上で試料が完全に溶けるまで充分に振り混ぜる。これに、０．１ｍｏｌ／ｌ水酸化カリウムエタノール溶液で滴定し、指示薬の薄い紅色が３０秒間続いた時を終点とした。酸価をＡ、試料量をＳ（ｇ）、滴定に用いた０．１ｍｏｌ／ｌ水酸化カリウムエタノール溶液をＢ（ｍｌ）、ｆを０．１ｍｏｌ／ｌ水酸化カリウムエタノール溶液のファクターとした時、Ａ＝（Ｂ×ｆ×５．６１１）／Ｓとして算出した。
【０２０４】
次に、本発明のインク受容性粒子のその他添加剤について説明する。まず、本発明のインク受容性粒子には、インクの成分を凝集又は増粘させる成分を含むことが好ましい。当該成分を含むと、インクに含まれる記録材（例えば顔料や染料）が凝集したり、ポリマーなどが増粘するので、画質や定着性が向上する。
【０２０５】
このような機能を有する成分は、上記吸水性樹脂の官能基として含んでもよいし、化合物として含んでもよい。当該官能基としては、例えば、カルボン酸、多価金属カチオン、ポリアミン類等などが挙げられる。
【０２０６】
また、当該化合物としては、無機電解質、有機酸、無機酸、有機アミンなどの凝集剤が好適に挙げられる。
【０２０７】
無機電解質としては、リチウムイオン、ナトリウムイオン、カリウムイオン等のアルカリ金属イオン及び、アルミニウムイオン、バリウムイオン、カルシウムイオン、銅イオン、鉄イオン、マグネシウムイオン、マンガンイオン、ニッケルイオン、スズイオン、チタンイオン、亜鉛イオン等の多価金属イオンと、塩酸、臭酸、ヨウ化水素酸、硫酸、硝酸、リン酸、チオシアン酸、及び、酢酸、蓚酸、乳酸、フマル酸、フマル酸、クエン酸、サリチル酸、安息香酸等の有機カルボン酸及び、有機スルホン酸の塩等が挙げられる。
【０２０８】
具体例としては、塩化リチウム、塩化ナトリウム、塩化カリウム、臭化ナトリウム、臭化カリウム、ヨウ化ナトリウム、ヨウ化カリウム、硫酸ナトリウム、硝酸カリウム、酢酸ナトリウム、蓚酸カリウム、クエン酸ナトリウム、安息香酸カリウム等のアルカリ金属類の塩、及び、塩化アルミニウム、臭化アルミニウム、硫酸アルミニウム、硝酸アルミニウム、硫酸ナトリウムアルミニウム、硫酸カリウムアルミニウム、酢酸アルミニウム、塩化バリウム、臭化バリウム、ヨウ化バリウム、酸化バリウム、硝酸バリウム、チオシアン酸バリウム、塩化カルシウム、臭化カルシウム、ヨウ化カルシウム、亜硝酸カルシウム、硝酸カルシウム、リン酸二水素カルシウム、チオシアン酸カルシウム、安息香酸カルシウム、酢酸カルシウム、サリチル酸カルシウム、酒石酸カルシウム、乳酸カルシウム、フマル酸カルシウム、クエン酸カルシウム、塩化銅、臭化銅、硫酸銅、硝酸銅、酢酸銅、塩化鉄、臭化鉄、ヨウ化鉄、硫酸鉄、硝酸鉄、蓚酸鉄、乳酸鉄、フマル酸鉄、クエン酸鉄、塩化マグネシウム、臭化マグネシウム、ヨウ化マグネシウム、硫酸マグネシウム、硝酸マグネシウム、酢酸マグネシウム、乳酸マグネシウム、塩化マンガン、硫酸マンガン、硝酸マンガン、リン酸二水素マンガン、酢酸マンガン、サリチル酸マンガン、安息香酸マンガン、乳酸マンガン、塩化ニッケル、臭化ニッケル、硫酸ニッケル、硝酸ニッケル、酢酸ニッケル、硫酸スズ、塩化チタン、塩化亜鉛、臭化亜鉛、硫酸亜鉛、硝酸亜鉛、チオシアン酸亜鉛、酢酸亜鉛等の多価金属類の塩等が挙げられる。
【０２０９】
有機酸としては、具体的にはアルギニン酸、クエン酸、グリシン、グルタミン酸、コハク酸、酒石酸、システイン、シュウ酸、フマル酸、フタル酸、マレイン酸、マロン酸、リシン、リンゴ酸、及び、一般式（１）で表される化合物、これら化合物の誘導体などが挙げられる。
【０２１０】
【化１】
0004730085.tif 000002
ここで、式中、Ｘは、Ｏ、ＣＯ、ＮＨ、ＮＲ１、Ｓ、又はＳＯ２を表す。Ｒ１はアルキル基を表し、Ｒ１として好ましくは、ＣＨ２，Ｃ２Ｈ５、Ｃ２Ｈ４ＯＨである。Ｒはアルキル基を表し、Ｒとして好ましくは、ＣＨ２，Ｃ２Ｈ５、Ｃ２Ｈ４ＯＨである。なお、Ｒは式中に含んでいてもよいし、含んでいなくても構わない。Ｘとして好ましくは、ＣＯ、ＮＨ、ＮＲ，Ｏであり、より好ましくは、ＣＯ、ＮＨ、Ｏである。Ｍは、水素原子、アルカリ金属又はアミン類を表す。Ｍとして好ましくは、Ｈ、Ｌｉ、Ｎａ、Ｋ、モノエタノールアミン、ジエタノールアミン、トリエタノールアミン等であり、より好ましくは、Ｈ、Ｎａ，Ｋであり、更に好ましくは、水素原子である。ｎは、３〜７の整数である。ｎとして好ましくは、複素環が６員環又は５員環となる場合であり、より好ましくは、５員環の場合である。ｍは、１又は２である。一般式（１）で表される化合物は、複素環であれば、飽和環であっても不飽和環であってもよい。ｌは、１〜５の整数である。
【０２１１】
一般式（１）で表される化合物としては、具体的には、フラン、ピロール、ピロリン、ピロリドン、ピロン、ピロール、チオフェン、インドール、ピリジン、キノリン構造を有し、更に官能基としてカルボキシル基を有する化合物が挙げられる。具体的には、２−ピロリドン−５−カルボン酸、４−メチル−４−ペンタノリド−３−カルボン酸、フランカルボン酸、２−ベンゾフランカルボン酸、５−メチル−２−フランカルボン酸、２，５−ジメチル−３−フランカルボン酸、２，５−フランジカルボン酸、４−ブタノリド−３−カルボン酸、３−ヒドロキシ−４−ピロン−２，６−ジカルボン酸、２−ピロン−６−カルボン酸、４−ピロン−２−カルボン酸、５−ヒドロキシ−４−ピロン−５−カルボン酸、４−ピロン−２，６−ジカルボン酸、３−ヒドロキシ−４−ピロン−２，６−ジカルボン酸、チオフェンカルボン酸、２−ピロールカルボン酸、２，３−ジメチルピロール−４−カルボン酸、２，４，５−トリメチルピロール−３−プロピオン酸、３−ヒドロキシ−２−インドールカルボン酸、２，５−ジオキソ−４−メチル−３−ピロリン−３−プロピオン酸、２−ピロリジンカルボン酸、４−ヒドロキシプロリン、１−メチルピロリジン−２−カルボン酸、５−カルボキシ−１−メチルピロリジン−２−酢酸、２−ピリジンカルボン酸、３−ピリジンカルボン酸、４−ピリジンカルボン酸、ピリジンジカルボン酸、ピリジントリカルボン酸、ピリジンペンタカルボン酸、１，２，５，６−テトラヒドロ−１−メチルニコチン酸、２−キノリンカルボン酸、４−キノリンカルボン酸、２−フェニル−４−キノリンカルボン酸、４−ヒドロキシ−２−キノリンカルボン酸、６−メトキシ−４−キノリンカルボン酸等の化合物が挙げられる。
【０２１２】
有機酸としては、好ましくは、クエン酸、グリシン、グルタミン酸、コハク酸、酒石酸、フタル酸、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩である。より好ましくは、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩である。さらに好ましくは、ピロリドンカルボン酸、ピロンカルボン酸、フランカルボン酸、クマリン酸、若しくは、これらの化合物誘導体、又は、これらの塩である。
【０２１３】
有機アミン化合物としては、１級、２級、３級及び４級アミン及びそれらの塩のいずれであっても構わない。具体例としては、テトラアルキルアンモニウム、アルキルアミン、ベンザルコニウム、アルキルピリジウム、イミダゾリウム、ポリアミン、及び、それらの誘導体、又は、塩等が挙げられる。具体的には、アミルアミン、ブチルアミン、プロパノールアミン、プロピルアミン、エタノールアミン、エチルエタノールアミン、２−エチルヘキシルアミン、エチルメチルアミン、エチルベンジルアミン、エチレンジアミン、オクチルアミン、オレイルアミン、シクロオクチルアミン、シクロブチルアミン、シクロプロピルアミン、シクロヘキシルアミン、ジイソプロパノールアミン、ジエタノールアミン、ジエチルアミン、ジ２−エチルヘキシルアミン、ジエチレントリアミン、ジフェニルアミン、ジブチルアミン、ジプロピルアミン、ジヘキシルアミン、ジペンチルアミン、３−（ジメチルアミノ）プロピルアミン、ジメチルエチルアミン、ジメチルエチレンジアミン、ジメチルオクチルアミン、１，３−ジメチルブチルアミン、ジメチル−１，３−プロパンジアミン、ジメチルヘキシルアミン、アミノ−ブタノール、アミノ−プロパノール、アミノ−プロパンジオール、Ｎ−アセチルアミノエタノール、２−（２−アミノエチルアミノ）−エタノール、２−アミノ−２−エチル−１，３−プロパンジオール、２−（２−アミノエトキシ）エタノール、２−（３，４−ジメトキシフェニル）エチルアミン、セチルアミン、トリイソプロパノールアミン、トリイソペンチルアミン、トリエタノールアミン、トリオクチルアミン、トリチルアミン、ビス（２−アミノエチル）１，３−プロパンジアミン、ビス（３−アミノプロピル）エチレンジアミン、ビス（３−アミノプロピル）１，３−プロパンジアミン、ビス（３−アミノプロピル）メチルアミン、ビス（２−エチルヘキシル）アミン、ビス（トリメチルシリル）アミン、ブチルアミン、ブチルイソプロピルアミン、プロパンジアミン、プロピルジアミン、ヘキシルアミン、ペンチルアミン、２−メチル−シクロヘキシルアミン、メチル−プロピルアミン、メチルベンジルアミン、モノエタノールアミン、ラウリルアミン、ノニルアミン、トリメチルアミン、トリエチルアミン、ジメチルプロピルアミン、プロピレンジアミン、ヘキサメチレシジアミン、テトラエチレンペンタミン、ジエチルエタノールアミン、テトラメチルアンモニウムクロライド、テトラエチルアンモニウムブロマイド、ジヒドロキシエチルステアリルアミン、２−ヘプタデセニル−ヒドロキシエチルイミダゾリン、ラウリルジメチルベンジルアンモニウムクロライド、セチルピリジニウムク口ライド、ステアラミドメチルビリジウムクロライド、ジアリルジメチルアンモニウムクロライド重合体、ジアリルアミン重合体、モノアリルアミン重合体等が挙げられる。
【０２１４】
より好ましくは、トリエタノールアミン、トリイソプロパノールアミン、２−アミノ−２−エチル−１，３−プロパンジオール、エタノールアミン、プロパンジアミン、プロピルアミンなどが使用される。
【０２１５】
これら凝集剤の中でも、多価金属塩（Ｃａ（ＮＯ３）、Ｍｇ（ＮＯ３）、Ａｌ（ＯＨ３）、ポリ塩化アルミニウム等）が好適に用いられる。
【０２１６】
凝集剤は単独で使用しても、或いは２種類以上を混合して使用しても構わない。また、凝集剤の含有量としては、０．０１質量％以上３０質量％以下であることが好ましい。より好ましくは、０．１質量％以上１５質量％以下であり、更に好ましくは、１質量％以上１５質量％以下である。
【０２１７】
更に、熱可塑性樹脂として、熱可塑性樹脂：ポリエチレン、ポリプロピレン、ポリ酸化ビニル、ポリビニルアルコール、ポリビニルアセタール、ポリ(メタ)アクリル酸、ポリ(メタ)アクリル酸エステル、ポリアクリル酸誘導体、ポリアクリル酸アミド、ポリエーテル、ポリエステル、ポリカーボネート、セルロース系樹脂、ポリアクリルニトリル、ポリイミド、ポリアミド、ポリ塩化ビニル、ポリ塩化ビニリデン、ポリスチレン、チオコール、ポリスルフォン、ポリウレタン、ポリスチレン、アクリル酸、メタクリル酸、ビニルピロリドン、アクリルアミド、メタクリルアミドなどの親水性モノマーの単独重合体及び共重合体；スチレン、アクリル酸エステル、メタクリル酸エステルなどのモノマーとの共重合体；水溶性ポリエステル、ポリビニールアルコール、ヒドロキシエチルセルロースなど；その他これらの樹脂の共重合体物等を含んでも良い。
【０２１８】
本発明のインク受容性粒子には、離型剤が含まれていることがよい。これにより、インク受容性粒子の記録媒体への定着をオイルレスで行うことが可能となる。離型剤は、上記吸液性樹脂に含ませてもよいし、吸液性樹脂の微粒子と共に離型剤の微粒子を複合化して含ませてもよい。
【０２１９】
このような離型剤としては、例えば、ポリエチレン、ポリプロピレン、ポリブテン等の低分子量ポリオレフィン類；加熱により軟化点を有するシリコーン類；オレイン酸アミド、エルカ酸アミド、リシノール酸アミド、ステアリン酸アミド等の脂肪酸アミド類；カルナウバワックス、ライスワックス、キャンデリラワックス、木ロウ、ホホバ油等の植物系ワックス；ミツロウ等の動物系ワックス；モンタンワックス、オゾケライト、セレシン、パラフィンワックス、マイクロクリスタリンワックス、フィッシャートロプシュワックス等の鉱物・石油系ワックス；及びそれらの変性物などが挙げられる。これらの中でも結晶性化合物を適用することがよい。
【０２２０】
本発明のインク受容性粒子には、外添剤を外添してもよい。外添剤を外添することで、インク受容性粒子の粉体流動性付与、帯電性・導電性制御、吸液性制御、等が行える。外添剤としては、無機微粒子（無色、淡色或いは白色の粒子、例えば、コロイダル・シリカ、アルミナ、炭酸カルシウム、酸化亜鉛、酸化チタン、酸化スズ、酸化セリウム、カーボンブラック等）、樹脂微粒子（ビニル系樹脂、ポリエステル、シリコーン、等の粒子）が挙げられる。また、これら外添剤としての粒子は、疎水性、親水性のいずれでもよく、カップリング剤（例えばシランカップリング剤等）で表面処理して表面に特定の官能基（例えばアミノ基、フッ素系等）を導入していてもよい。また、外添剤としての粒径は、体積平均粒径で、５ｎｍ〜１００ｎｍ、好ましくは１０〜５０ｎｍであることがよい。
【０２２１】
上記のようインク受容性粒子１６は、インク滴２０Ａを吸収／保持可能な多孔質粒子１６Ｆと、弱インク吸収性と定着性を備えた樹脂粒子１６Ｅとを、弱凝集させた２次粒子であり、多孔質粒子及び樹脂粒子間の空隙１６Ｇをもつ。
【０２２２】
インク受容性粒子１６による粒子層１６Ａを形成する方法が、インク受容性粒子１６を帯電させて電界により記録媒体や中間転写体に供給する方式、すなわち電子写真方式（ゼログラフィ方式）の場合、インク受容性粒子１６には帯電性が必要となる。このためトナーの帯電制御剤をインク受容性粒子１６に内添するようにしてもよい。また、インク中の色材(特に顔料)を多孔質粒子及び樹脂粒子１６Ｅ（１次粒子）表面に固定(トラップ)する為に、インク中の顔料及び水溶性高分子と反応し、顔料及び水溶性高分子を不溶性とする事が望ましい。
【０２２３】
さらにインク受容性粒子１６は記録媒体８にインク画像を定着する機能を有する。定着を発揮させる為には定着装置２２による圧力、熱、または圧力及び熱による転写定着処理を行う。加えてインク受容性粒子１６は画像形成後のインクの発色性を得る為、少なくとも定着後には透明となることが望ましい。
【０２２４】
つぎに、インクについての詳細を説明する。なお、下記インクは一例であり、その他のインクも使用できる。
＜インク＞
（インクＡ）：自己分散型Ｂｋインク
―組成―
・Ｃａｂｏｊｅｔ−３００（キャボット社製）：４質量％
・スチレン−アクリル酸−アクリル酸ナトリウム共重合体：１質量％
・ジエチレングリコール：２０質量％
・グリセリン：５質量％
・アセチレングリコールエチレンオキサイド付加物：０．５質量％
・イオン交換水：残部
この液体のｐＨは８．５、体積平均粒子径は９３ｎｍ、表面張力は３１ｍＮ／ｍ、粘度は３．３ｍＰａ・ｓであった。
（インクＢ）：分散剤型Ｂｋインク
―組成―
・Ｍｏｇｕｌ  Ｌ（キャボット社製）（顔料／表面官能基無し）：４質量
・スチレン−アクリル酸−アクリル酸ナトリウム共重合：０．６質量％
・ジエチレングリコール：１５質量％
・ジグリセリンエチレンオキサイド付加物：５質量％
・ポリオキシエチレン−２−エチルヘキシルエーテル：０．７５質量％
・イオン交換水：残部
この液体のｐＨは８．２、体積平均粒子径は１２０ｎｍ、表面張力は３２ｍＮ／ｍ、粘度は３．３ｍＰａ・ｓであった。
（インクＣ）：自己分散型シアンインク
―組成―
・Ｃ．Ｉ．Ｐｉｇｍｅｎｔ Ｂｌｕｅ １５：３：４質量％
・スチレン−アクリル酸−アクリル酸ナトリウム共重合体：０．６質量％
・ジエチレングリコール：２０質量％
・グリセリン：５質量％
・アセチレングリコールエチレンオキサイド付加物：１質量％
・イオン交換水：残部
この液体のｐＨは８．８、体積平均粒子径は９２ｎｍ、表面張力は３１ｍＮ／ｍ、粘度は３．１ｍＰａ・ｓであった。
（インクＤ）：自己分散型マゼンタインク
―組成―
・Ｃ．Ｉ．Ｐｉｇｍｅｎｔ Ｒｅｄ １２２：４質量％
・スチレン−アクリル酸−アクリル酸ナトリウム共重合体：０．７５質量％
・ジエチレングリコール：２０質量％
・グリセリン：５質量％
・アセチレングリコールエチレンオキサイド付加物：１質量％
・イオン交換水：残部
この液体のｐＨは８．６、体積平均粒子径は１０６ｎｍ、表面張力は３１ｍＮ／ｍ、粘度は３．２ｍＰａ・ｓであった。
（インクＥ）：自己分散型イエローインク
―組成―
・Ｃ．Ｉ．Ｐｉｇｍｅｎｔ Ｙｅｌｌｏｗ １２８：４質量％
・スチレン−アクリル酸−アクリル酸ナトリウム共重合体：０．６質量％
・ジエチレングリコール：２０質量％
・グリセリン：５質量％
・アセチレングリコールエチレンオキサイド付加物：１質量％
・イオン交換水：残部
この液体のｐＨは８．７、体積平均粒子径は１１５ｎｍ、表面張力は３１ｍＮ／ｍ、粘度は３．２ｍＰａ・ｓであった。
【図面の簡単な説明】
【０２２５】
【図１】本発明の第一実施形態に係る画像形成装置を模式的に示す図である。
【図２】（ａ）は、本発明の第一実施形態に係る画像形成装置の要部を模式的に示す図であり、（ｂ）はインク受容性粒子を概念的に示す図である。
【図３】本発明の第二実施形態に係る画像形成装置を模式的に示す図である。
【図４】本発明の第三実施形態に係る画像形成装置を模式的に示す図である。
【図５】（Ａ）は、本発明の第四実施形態に係る画像形成装置を模式的に示す図であり、（Ｂ）は針状電極を模式的に示す図である。
【図６】インク受容性粒子の一例を示す概念図である。
【図７】インク受容性粒子の他の一例を示す概念図である。
【図８】インク受容性粒子の他の一例を示す概念図である。
【図９】インク画像が形成される工程を概念的に示す、（Ａ）から（Ｃ）へと順番に示す図である。
【図１０】搬送ベルトに記録媒体を吸着せる吸引機構を模式的に示す、（Ａ）は上面図であり、（Ｂ）は側面図である。
【符号の説明】
【０２２６】
８      記録媒体
１０      パターン形成装置
１１      パターン形成装置
１３      パターン形成装置
１６      インク受容性粒子（液体受容性粒子）
１６Ａ    インク受容性粒子層（液体受容性粒子層）
２０      インクジェット記録ヘッド（パターン形成手段、付与手段）
２２      定着装置（定着手段）
１００      イオン流制御静電記録ヘッド
１１２      中間転写ベルト（中間転写体）
１２２      転写装置（転写手段）
１５０      予備定着装置（予備定着手段）
２１２      中間転写ドラム（中間転写体）
２２２      転写装置（転写手段）
４００      パターン形成装置
【図１】
0004730085.tif 000003
【図２】
0004730085.tif 000004
【図３】
0004730085.tif 000005
【図４】
0004730085.tif 000006
【図５】
0004730085.tif 000007
【図６】
0004730085.tif 000008
【図７】
0004730085.tif 000009
【図８】
0004730085.tif 000010
【図９】
0004730085.tif 000011
【図１０】
0004730085.tif 000012